(57)【要約】【課題】  レンジに装着して使用する油ハネ防止パネルであって、耐熱素材を用い一部開口部を残して一つの発熱体を囲むようにしたことを特徴とした油ハネ防止パネルを提供する。【解決手段】  縦折曲線を複数設けた油ハネ防止パネル又は筒状、又は油ハネ防止パネルの立設部に複数の縦折曲線を設け、立設部の下辺近傍に下部横折曲線又は/および上辺近傍に上部横折曲線を設け、前記その下部横折曲線より下の下面折曲部領域に切込みまたは/および上部横折曲線より上の上面折曲部領域に切込みを設け内外に折曲し調理器具を囲むように立設させて使用する。尚、油ハネ防止パネルを安定させるため補助具を使用するとよい。【選択図】図４
2015038386.tif 000002
【特許請求の範囲】
【請求項１】
レンジに装着して使用する油ハネ防止パネルであって、耐熱素材を用い一部開口部を残して一つの発熱体を囲むようにした油ハネ防止パネル。
【請求項２】
前記油ハネ防止パネルの立設部に複数の縦折曲線を設けたことを特徴とした請求項１記載の油ハネ防止パネル。
【請求項３】
前記油ハネ防止パネルの立設部下辺近傍に下部横折曲線または/および上辺近傍に上部横折曲線を設けたことを特徴とした請求項１、請求項２記載の油ハネ防止パネル。
【請求項４】
前記下部横折曲線より下の下面折曲部領域に内外に折曲できる切り込みまたは/および上部横折曲線より上の上面折曲部領域に内外に折曲できる切り込みが設けられている請求項１〜３記載の油ハネ防止パネル。
【発明の詳細な説明】
【技術分野】
【０００１】
本発明は、レンジに装着して使用する油ハネ防止パネルであって、耐熱素材を用い一部開口部を残して一つの発熱体を囲むようにしたことを特徴とした油ハネ防止パネルに関する。
【背景技術】
【０００２】
特許文献１には、一対の垂直辺を含む矩形シート形状を有する正面パネルと、第１辺と前記第１辺に直交すると共に前記第１辺と同一長さの第２辺とを含み、前記第１辺及び前記第２辺のいずれも前記垂直辺の一方に対して前記正面パネルに対して同一方向に向かって脱着自在に係合することができるシート形状の第１側面パネルと、前記垂直辺の他方に接続された矩形シート形状の第２側面パネルとを備えた調理用油除けパネルであるが、あくまでもレンジ周りの三方向に立設させるように構成された調理用油除けパネル及びパネル構造体である。
【０００３】
上記調理用油除けパネル及びパネル構造体はレンジ内に設けた発熱体、ゴトク、ＩＨクッキングヒーターの発熱体の一つを囲むように油除けパネルを立設させる構造になっておらず、又、そのような発想もなされていない。
その上、三方向に立設させる為調理する手前側は油ハネから調理人を守ることは出来ず油ハネの飛び散りで大小のやけどを負う欠点もある。
【０００４】
又、油ハネによる汚れは使用しない他のゴトク、発熱体、トッププレート内の多くを防ぐことが出来ない欠点がある。
【先行技術文献】
【特許文献】
【０００５】
【特許文献１】特開２００７−１０１１３１公報
【発明の概要】
【発明が解決しようとする課題】
【０００６】
油ハネ防止パネルは種種提案されているが、その多くはレンジ周辺を囲むものかレンジのトッププレートとゴトクとの間に敷くパネルがほとんどである。
本発明は、レンジに装着して使用する油ハネ防止パネルであって、耐熱素材を用い一部開口部を残して一つの発熱体を囲むようにし、レンジ内の多くの部分を油ハネから守り、調理する人を多少なりとも油ハネから守ることを技術課題とする。
【課題を解決するための手段】
【０００７】
上記の目的を達成させるために、一つの発熱体を囲む形状はいろいろ考えられる。例えば円筒形にしてもよく、立設部に設けた縦折曲線のみで囲むようにしてもよい。
【０００８】
又、油ハネ防止パネルの立設部に複数の縦折曲線と下部横折曲線を設け、下部横折曲線より下の下面折曲部領域に縦折曲線の延長線を設け、その延長線は切込み出来るようにするか、もしくは延長線を設けないですでに切込みをして独立させ内外に折曲させる。
【０００９】
そうすることにより主に油料理をする際一つの発熱体に一部開口部を残して囲むことが出来、下面折曲部領域を内外に折曲させたパネルの下とレンジ内の多くの部分を油ハネから守ることが出来る。
【００１０】
又、油ハネ防止パネルの開口部を調理人に向かって少しずらすことにより調理人に油ハネが飛び散ることを少しでも防ぐことができる。
尚、パネルを立設させる際は、火力が及ばないよう立設させる。
【００１１】
又、上部横折曲線も設けることにより上部横折曲線より上の上面折曲部領域に縦折曲線の延長線を設け、その延長線は切込み出来るようにするか、もしくは延長線を設けないですでに切込みをして独立させ内外に折曲させるようにすることが出来る。そうすることにより、上にハネ上がる油ハネを多少でも防ぐことが出来る為、レンジ内の多くの部分を油ハネから守ることが出来る。
【００１２】
又、油ハネ防止パネルを立設させる際不安定と感じる時は安定して立設させる為に補助具を取り付けるとよい。
尚、補助具を取り付けたくない場合は、油ハネ防止パネルの立設部背面に補助用支持脚を設けるとよい。
【００１３】
又、油ハネ防止パネルの立設部に設けた縦折曲線の数はこだわるものではない。
尚、耐熱素材としてアルミニウム箔やポリカーボネイト、耐熱樹脂、ステンレス、金属類などが上げられるがこだわるものではない。
【発明の効果】
【００１４】
本発明は、レンジに装着して使用する油ハネ防止パネルであって、耐熱素材を用い一部開口部を残して一つの発熱体を囲むようにしたことを特徴とした油ハネ防止パネルであり、油を多く使用し料理をする際は火災になることを防ぐ為集中して油料理する家庭が多く、使用しないレンジ内の発熱体、ゴトク、ＩＨクッキングヒーターの発熱体などは油の飛び散りで汚れていたが、本発明は使用する発熱体のみを囲む為それ以外のレンジ内の多くを油の飛び散りから防ぐことが出来る効果がある。
【００１５】
又、本発明の油ハネ防止パネルを上下ひっくり返せばレンジ周辺を囲む油ハネ防止パネルになるので油ハネがあまりない調理の時はレンジ周辺を囲んでおくことも出来、折曲線に合わせて折り畳んでおくことも出来る効果がある。
【００１６】
又、調理する際女性は顔に油ハネがかかることを恐れるが調理人に対して油ハネ防止パネルの開口部を正面より少しずらして立設させることにより、調理人の顔の部分に立設部がくるため多少でも油ハネから顔を守ることが出来る効果もある。その場合開口部を極端にずらすと調理しづらいのであくまでも顔に油ハネがこない程度にずらすとよい。
【００１７】
又、油ハネ防止パネルの素材としてアルミニウム箔以外で、ポリカーボネイト、耐熱樹脂、ステンレス、金属類などが上げられるが透明素材、半透明素材を用いれば調理中の食材が見やすい効果もある。
尚、透明素材は一部分に設けてもよくこだわるものではない。
【図面の簡単な説明】
【００１８】
【図１】図１は、アルミニウム箔を使用した油ハネ防止パネルの正面図である。
【図２】図２は、ポリカーボネイトなどの透明素材を用いた油ハネ防止パネルの正面図である。
【図３】図３は、油ハネ防止パネルの使用例の斜視図である。
【図４】図４は、調理器具を囲んだ油ハネ防止パネルの斜視図である。
【図５】図５は、下面折曲部領域を各々独立させた正面図である。
【図６】図６は、下面折曲部領域を各々独立させ耐熱樹脂などの素材を用いた油ハネ防止パネルの正面図である。
【図７】図７は、筒状油ハネ防止パネルの斜視図である。
【図８】図８は、立設部に縦折曲線を設けた斜視図である。
【図９】図９は、油ハネ防止パネルを安定させる補助具の斜視図である。
【図１０】図１０は、参考使用実施例である。
【図１１】図１１は、油ハネ防止パネルを上下反対にして使用する参考例である。
【発明を実施するための形態】
【００１９】
本発明に係る油ハネ防止パネルの実施例を詳細に説明する。
図１は、油ハネ防止パネル１の立設部２に縦折曲線３と下部横折曲線４を設け、下部横折曲線４より下の下面折曲部領域７に切込み８を設けた正面図であり、切込み８は縦折曲線３の延長線上に設け使用者が切込み８に沿って切りやすくしている。
尚、すでに切込み８がしてあってもよい。
又、下面折曲部領域７を内側に折り曲げ使用すれば下面折曲部領域７の下の部分も油ハネから守ることが出来る。
【００２０】
図面上では立設部２を四分割にしているが何分割にしてもよく縦折曲線３が多ければ多いほど分割数が増え小さく折り畳むことも出来、広げれば略円筒形にもなる。
又、油ハネ防止パネル１の素材として図面上ではアルミニウム箔を用いて説明しているがこだわるものではない。
【００２１】
図２は、油ハネ防止パネル１の立設部２に縦折曲線３と上、下部横折曲線９、４を設け、上、下部横折曲線９，４より上、下面の折曲部領域１０、７に切り込み８を設けた正面図であり、切込み８は縦折曲線３の延長線に設け使用者が切込み８に沿って切りやすくしている。
又、すでに切込み８がしてあってもよい。
【００２２】
下面折曲部領域７を内側に折り曲げ使用すれば下面折曲部領域７の下の部分も油ハネから守ることが出来、上面折曲部領域１０を内側に折り曲げ使用すれば上に跳ね上がる油ハネを多少でも防ぐことが出来る。
【００２３】
図面上では立設部２を四分割にしているが何分割にしてもよく縦折曲線３が多ければ多いほど分割数が増え小さく折り畳むことも出来、広げれば略円筒形にもなる。
又、油ハネ防止パネル１の素材として図面上ではポリカーボネイトなどの透明素材を用いて説明しているがこだわるものではない。
【００２４】
図３は、油ハネ防止パネル１の上、下面の折曲部領域１０、７が内側に折り曲げられ、補助具１２を取り付けた参考斜視図である。
補助具１２は縦横使い出来、使用方法はこだわらない。又、図面上では参考実施例として一箇所に取り付けているが両端に取り付けるのが好ましい。
又、開口部は広くても狭くてもよく調整すればよい。
【００２５】
図４は、油ハネ防止パネル１の下面折曲部領域７を内側に折り曲げられた状態で調理器具１４を合わせた参考斜視図である。
油ハネ防止パネル１の開口部１１を調理人に向かって少しずらすことにより調理人特に女性は油ハネの飛び散りが顔にかかることを恐れるが油ハネが飛び散ることを少しでも防ぐことができる。
【００２６】
図５は、油ハネ防止パネル１の立設部２に縦折曲線３と下部横折曲線４を設け、下部横折曲線４より下の下面折曲部領域７に切込み８を設け単独した内外に折曲出来る形態を変えた油ハネ防止パネル１の正面図である。下面折曲部領域７が各々最初から分かれていれば内外に折り曲げやすく、下面折曲部領域７の下の部分も油ハネから守ることが出来る。
【００２７】
図面上では立設部２を四分割にしているが何分割にしてもよく縦折曲線３が多ければ多いほど分割数が増え小さく折り畳むことも出来、広げれば略円筒形にもなる。
又、油ハネ防止パネル１の素材として図面上ではアルミニウム箔を用いて説明しているがこだわるものではない。
【００２８】
図６は、油ハネ防止パネル１の立設部２に縦折曲線３と上、下部横折曲線９、４を設け、上、下部横折曲線９、４より上、下面の折曲部領域１０、７には切込み８を設け、上面折曲部領域１０に設けた切込み８は縦折曲線３の延長線上に設け、形状を変えず内外に折曲できるようにし、下面折曲部領域７のみ単独した形状の内外に折曲出来る形態を変えた油ハネ防止パネル１の正面図であり、
【００２９】
下面折曲部領域７を内側に折り曲げ使用すれば下面折曲部領域７の下の部分も油ハネから守ることが出来、上面折曲部領域１０を内側に折り曲げ使用すれば上に跳ね上がる油ハネを多少でも防ぐことが出来る。
【００３０】
図面上では立設部２を四分割にしているが何分割にしてもよく縦折曲線３が多ければ多いほど分割数が増え小さく折り畳むことも出来、広げれば略円筒形にもなる。
又、油ハネ防止パネル１の素材として図面上では耐熱樹脂などの素材を用い、透明又は半透明素材を用いて説明しているがこだわるものではない。
【００３１】
図７は、油ハネ防止パネル１の形状の一部開口部１１を残して囲むように立設させた円筒状の油ハネ防止パネル１に補助具１２を取り付けた参考斜視図である。
使用しない時は丸めておくことが出来る。
【００３２】
又、補助具１２は図面上一箇所に設けているが何箇所に設けてもよく縦横使い出来るので使い方で開口部を広くしたり狭くしたりすることも出来る。
又、図面上では参考実施例として横使いにし、一箇所に取り付けているが両端に取り付けるのが好ましい。
又、縦使いにすれば何箇所にも取り付けることができる。
又、図面上ではポリカーボネイトなどの透明素材を用いているがこだわるものではない。
【００３３】
図８は、油ハネ防止パネル１の立設部２に縦折曲線３を複数設け、一部開口部１１を残して一つの発熱体を囲むように立設させた油ハネ防止パネル１の参考斜視図である。立設させた油ハネ防止パネル１には補助具１２を一箇所に設けているが何箇所に設けてもよく縦横使い出来るので使い方で開口部１１を広くしたり狭くしたりすることも出来る。
【００３４】
又、図面上では参考実施例として横使いにし、一箇所に取り付けているが両端に取り付けるのが好ましい。
又、縦使いにすれば何箇所にも取り付けることができる。
又、素材に関しては耐熱素材であればこだわるものではない。
【００３５】
図９は、油ハネ防止パネル１を安定させる補助具１２の斜視図である。差込部１３が二箇所に設けてあるため縦横使い出来、形状に合わせて使い方を変えることが出来る。
又、補助具１２を耐熱素材にし磁石を取り付けてもよく、何層にもして中に鉄などを入れてある程度の重量を持たすことも出来、耐熱樹脂でもステンレスでも金物でもこだわるものではない。  
【００３６】
図１０は、平面状のトッププレート上にあるゴトクの一つに調理器具１３を置き、その調理器具の周辺を囲むように油ハネ防止パネル１を立設させた実施例の参考斜視図である。
【００３７】
図１１は、油ハネ防止パネル１を上下反対にして使用する参考例である。図面上では二枚の油ハネ防止パネル１を使用してレンジ周辺に立設させている。
又、補助具１２は三箇所設けているが何箇所設けてもよくこだわるものではない。
【符号の説明】
【００３８】
１          油ハネ防止パネル
２          立設部
３          縦折曲線
４          下部横折曲線
５          下辺
６          上辺
７          下面折曲部領域
８          切込み
９          上部横折曲線
１０        上面折曲部領域
１１        開口部
１２        補助具
１３        差込部
１４        調理器具
【図１】
2015038386.tif 000003
【図２】
2015038386.tif 000004
【図３】
2015038386.tif 000005
【図４】
2015038386.tif 000006
【図５】
2015038386.tif 000007
【図６】
2015038386.tif 000008
【図７】
2015038386.tif 000009
【図８】
2015038386.tif 000010
【図９】
2015038386.tif 000011
【図１０】
2015038386.tif 000012
【図１１】
2015038386.tif 000013